(57)【要約】      （修正有）【課題】蛍光灯発光源を保護することができる照明器具構造を提供する。【解決手段】基座１０と、蛍光灯発光源２０と、保護カバー３０と、電源駆動モジュール４０と、ランプヘッド５０とからなる。前記基座は、基板１１の頂部に背面カバー１２を結合させてなり、電源駆動モジュールは基座内に設けられ、ランプヘッドは、基座の両端に連結され、蛍光灯発光源は基座底面に連結され、保護カバーは基座底部を覆って設けられる。【選択図】図１
0003174466.tif 000002
【実用新案登録請求の範囲】
【請求項１】
基座と、蛍光灯発光源と、保護カバーと、電源駆動モジュールと、ランプヘッドとからなる照明器具構造であって、
前記基座は、基板の頂部に背面カバーを結合させてなり、電源駆動モジュールは基座内に設けられ、ランプヘッドは、基座の両端に連結され、蛍光灯発光源は基座底面に連結され、保護カバーは基座底部を覆って設けられることを特徴とする、照明器具構造。
【請求項２】
保護カバーは、基座から取り外し可能に設けられることを特徴とする、請求項１に記載の照明器具構造。
【請求項３】
基板の底部は、極めて優れた光反射効果をもつ板面であるか、或いは、全面が光透過性をもち３６０度光を通すことを特徴とする、請求項１に記載の照明器具構造。
【請求項４】
電源駆動モジュールは、起動装置と、統合性電源供給器、或いは、ＩＣ化駆動電源モジュール、或いは、磁気起動コイルとからなることを特徴とする、請求項１に記載の照明器具構造。
【請求項５】
電源駆動モジュール内の統合性電源供給器、或いは、ＩＣ化駆動電源モジュール、或いは、磁気起動コイルは、基座の外に設けられるとともに、照明器具をとりつけるためのランプ台座に連結されることを特徴とする、請求項１または請求項４に記載の照明器具構造。
【考案の詳細な説明】
【技術分野】
【０００１】
本考案は照明器具の構造に関し、特に蛍光灯発光源を備える照明器具に関する。
【背景技術】
【０００２】
一般的によく使われている蛍光灯の管径は、太いもので、２６〜２９ミリメートルのＴ８やＴ９、Ｔ１０型があり、現在新しい型である管径の細いもので、約１６ミリメートルのＴ５の蛍光灯がある。それ以外に、管径が非常に細い約１．８〜６．５〜１０．０ミリメートルの冷陰極管、及びＬＥＤ−発光ダイオード光源も次第に幅広く照明に使用されるようになってきている。しかしながら、前述した各種の蛍光灯はいずれも共通の欠点がある。それは、蛍光灯自体がガラスからなるため、運送する際、或いは、保存しておく時にぶつかって破損しやすいという点であり、改善がまたれている。
【考案の概要】
【考案が解決しようとする課題】
【０００３】
本考案は、蛍光灯発光源を保護することができる照明器具構造を提供することを目的とする。
【課題を解決するための手段】
【０００４】
本考案の照明器具は、基座と、蛍光灯発光源と、保護カバーと、電源駆動モジュールと、ランプヘッドとからなる。前記基座は、基板頂部に背面カバーを結合させてなり、電源駆動モジュールは基座内に設けられ、ランプヘッドは基座両端に連結され、蛍光灯発光源は、基座底面に連結され、保護カバーは基座底部を覆って設けられる。
【０００５】
上述の照明器具内の基板の底部は極めて優れた光反射効果をもつ板面であるか、或いは、全面が光透過性をもち３６０度光を通す。保護カバーは、極めて優れた光透過性を備えるとともに、取り外し可能に設けられる。また、電源駆動モジュールは、起動装置、或いは、統合性電源供給器、或いは、ＩＣ化駆動電源モジュール、或いは、磁気起動コイルからなる。また、照明器具内の蛍光灯発光源の種類に制限はなく、棒状、或いは、Ｕ型蛍光灯、或いは、ＵＶ蛍光灯、或いは、冷陰極管及ＬＥＤ−発光ダイオード光源等にすることができる。
【考案の効果】
【０００６】
本考案は、脆い蛍光灯の発光源を保護カバーで保護し、保存する際に重ねて置いておく場合、或いは運搬する過程で、或いは取り付けたり取り外したりする過程で、不注意により破損してしまうのを防ぎ、また、取り付けて使用する時、消費者のニーズに応じて保護カバーを取り外すことで、蛍光灯の発光源に最大の照明輝度を発揮させることができる。また、蛍光灯の寿命がきて取り外して回収する時、保護カバーを再び取り付けて保護することにより、その後に処理する人が怪我をするのを防ぐことができる。
【図面の簡単な説明】
【０００７】
【図１】本考案の分解図である。
【図２】本考案の分解図である。
【図３】本考案を組み立てた後に頂部から見た状態を示した外観図である。
【図４】本考案を組み立てた後に底部から見た状態を示した外観図である。
【図５】本考案の使用を示した概略図である。
【図６】本考案の使用を示した概略図である。
【考案を実施するための形態】
【０００８】
図１を参照する。図１は、本考案の実施例の構造の分解図である。本考案の実施例の照明器具１は、主に、基板１１及び背面カバー１２からなる基座１０と、少なくとも一つの蛍光灯発光源２０と、透光性を備えた保護カバー３０と、起動装置４１と、統合性電源供給器４２、或いは、ＩＣ化駆動電源モジュール４３、或いは、磁気起動コイル４４とからなる電源駆動モジュール４０と、端子５１が設けられたランプヘッド５０からなる。
【０００９】
図２から図５に示すように、本考案の実施例では、電源駆動モジュール４０は、基板１１の頂部に背面カバー１２を結合させてなる基座１０内に設けられる。ランプヘッド５０は、基座１０の両端に連結され、ランプヘッド５０の端子５１は外に露出するとともに、電源駆動モジュール４０と電気的に接続される。少なくとも一つの蛍光灯発光源２０は、基座１０底面に設けられるともに、ランプヘッド５０に電気的に接続される。保護カバー３０は基座１０底部を覆って設けられる。本考案の照明器具１は、保護カバー３０により、脆い蛍光灯発光源２０を保存する際に重ねて置いておく場合、或いは運搬する過程で、或いは取り付けたり取り外したりする過程で、及び使用する時にぶつけて破損してしまうことから守ることができる。また、ランプ台座２の上に取り付けて照明を稼働させる時、保護カバー３０を取り外すことができ、それにより、蛍光灯発光源２０の光が遮られるのを防ぎ、蛍光灯発光源２０が最大の照明輝度を発揮することができる。また、蛍光灯の寿命がきて取り外して回収する時、保護カバー３０を再び取り付けて保護することにより、その後に処理する人が怪我をするのを防ぐことができる。
【００１０】
また、図６を参照する。図６は、本考案の照明器具１を、ランプ台座２の上に取り付けて照明を稼働させた実施例を示している。この実施例では、照明器具１内の電源駆動モジュール４０の統合性電源供給器４２、或いは、ＩＣ化駆動電源モジュール４３、或いは、磁気起動コイル４４を、基座１０の外に設けるとともに、照明器具を取り付けたランプ台座２に接続することができ、さらに、ランプ台座２内のコネクタ３に電気的に接続することができる。
【符号の説明】
【００１１】
１    照明器具        
１０  基座    
１１  基板    
１２  背面カバー
２    ランプ台座
３    コネクタ
２０  蛍光灯発光源
３０  保護カバー
４０  電源駆動モジュール    
５０  ランプヘッド    
５１  端子
【図１】
0003174466.tif 000003
【図２】
0003174466.tif 000004
【図３】
0003174466.tif 000005
【図４】
0003174466.tif 000006
【図５】
0003174466.tif 000007
【図６】
0003174466.tif 000008